(57)【要約】【課題】従来の無線基地局装置試験システムでは、無線基地局装置の無線評価を行なう操作者の手間がかかるため無線区間データの評価を行なうのは膨大な時間を必要とする。【解決手段】無線基地局装置の無線データを通信回線を用いて無線データ収集端末で収集し無線基地局装置の評価を行なう無線基地局装置試験システムであって、前記無線データ収集端末は選択された無線区間データを送信するように前記無線基地局装置に指示を行い、前記無線基地局装置から送信されてきた無線区間データの受信をし、前記無線基地局装置から受信した無線区間データを評価データに変換し、前記評価データに変換したデータを画面表示することを特徴とする無線基地局装置試験システムとすることで、無線基地局装置の無線評価を行なう操作者の手間を省くことができ効率よく無線基地局装置の評価を行なうことができる。【選択図】図１
2005006106.tif 000002
【特許請求の範囲】
【請求項１】
無線基地局装置の無線データを通信回線を用いて無線データ収集端末で収集し無線基地局装置の評価を行なう無線基地局装置試験システムであって、
前記無線データ収集端末は選択された無線区間データを送信するように前記無線基地局装置に指示を行い、
前記無線基地局装置から送信されてきた無線区間データの受信をし、
前記無線基地局装置から受信した無線区間データを評価データに変換し、
前記評価データに変換したデータを画面表示する
ことを特徴とする無線基地局装置試験システム。
【発明の詳細な説明】
【０００１】
【発明の属する技術分野】
本発明は無線基地局装置試験システムに関する。
【０００２】
【従来の技術】
従来、無線基地局装置の無線区間の動作状況を確認するために、無線基地局装置より無線区間データをデータ収集端末に送信し、当該無線基地局装置から受信した無線区間データを、データ収集端末で無線基地局装置の無線評価を行なう操作者が手作業で数値データに変換し、データ収集端末の画面表示部で表示を行ない、無線基地局装置の評価を行なっていた。
【０００３】
【発明が解決しようとする課題】
しかしながら上述した無線基地局装置試験システムでは、無線基地局装置の無線評価を行なう操作者の手間がかかるため、無線区間データの評価に膨大な時間を必要とする。
【０００４】
本発明は上述した課題に鑑みてなされたものであり、無線基地局装置の無線評価の効率を上げることを目的とし、無線基地局装置から無線データ収集端末が操作者により選択された無線区間データを順次収集しグラフ化する手段、また収集した複数の無線区間データを時系列にグラフ表示する手段、無線区間データを指定した名前でメモリに記憶する手段を設け、収集データの解析を容易にし無線評価の効率を上げることが可能となる無線基地局装置試験システムを提供することにある。また、無線基地局装置から無線データ収集端末が操作者により選択された無線区間データを順次収集しグラフ化する手段を設けることでリアルタイムで操作者が無線基地局装置の評価を行なうことを可能とする無線基地局装置試験システムを提供することにある。
【０００５】
【問題を解決する手段】
無線基地局装置の無線データを通信回線を用いて無線データ収集端末で収集し無線基地局装置の評価を行なう無線基地局装置試験システムであって、前記無線データ収集端末は選択された無線区間データを送信するように前記無線基地局装置に指示を行い、前記無線基地局装置から送信されてきた無線区間データの受信をし、前記無線基地局装置から受信した無線区間データを評価データに変換し、前記評価データに変換したデータを画面表示することを特徴とする無線基地局装置試験システムとすることで、無線基地局装置の無線評価を行なう操作者の手間を省くことができ効率よく無線基地局装置の評価を行なうことができる。
【０００６】
【発明の実施の形態】
本発明の実施の形態の一例を示す。本発明に係る無線基地局装置試験システムの構成は図１に示すように、無線基地局装置と前記無線基地局装置の無線区間データを収集するデータ収集端末で構成され、無線基地局装置とデータ収集端末はＬＡＮを用いて接続されている。
【０００７】
次に、無線基地局装置及びデータ収集端末装置の構成を図２に示す。まず無線基地局装置１０１の構成は、主制御を行なう制御部２０１、無線データ収集端末１０３より指示された無線区間データを収集する無線データ収集部２０２、前記無線データ収集部２０２より収集された無線区間データを無線データ収集端末１０３へ送信及び無線データ収集端末１０３からの指示を受信する入出力部２０３で構成されている。
また無線データ収集端末１０３は、主制御を行なう制御部２０４、無線基地局装置１０１に収集したい無線区間データの指示の送信と前記指示した無線区間データをの受信を行なう入出力部２１０、無線基地局装置１０１から送られてきた無線区間データが当該無線データ収集端末１０３が指示した無線区間データであるか否かを判断するデータ解析部２０９、無線基地局装置１０１より送られてきた無線区間データを評価を行なうために評価データに変換するデータ変換部２０８、前記データ変換部２０８で変換された無線データを表示画面に出力する画面制御部２０５、無線区間データを記憶するデータ記憶部２０６、無線基地局装置１０１の無線評価を行なう操作者の指示を入力させるキー入力部２０７で構成されている。
【０００８】
本発明の無線基地局装置試験システムの無線データ収集端末には複数の無線区間データから必要な情報のみを選択できる手段を備えており、必要な無線区間データの情報のみを無線基地局装置からデータ収集し、グラフ化を行い画面表示部に表示を行う。図３に収集した無線区間データの数値データを示し、図４にグラフ化した無線区間データの表示例を示す。次に、上記複数の無線区間データから必要な無線区間データのみを抽出しグラフ化する処理を説明する。
【０００９】
まず無線データ収集端末は、無線データ収集端末の入力部（キーボード、選択画面等）から無線データ種別選択画面表示を行うように指示を受けると、無線データ収集端末は画面に無線データ種別選択を行う画面を画面制御部に表示を行い、無線基地局装置の無線評価を行なう操作者からの無線データ種別選択入力指示を待つ。操作者より無線データ種別選択指示があると、無線データ収集端末はデータ解析部へ操作者により選択された無線データ種別情報を通知する。無線データ収集端末は当該通知があった後、無線基地局装置に選択された無線データ種別情報に対応した無線区間データを順次送信するように指示を出し、ＬＡＮを用いて無線基地局装置から無線区間データの収集を順次行う。無線データ収集端末は無線基地局装置より収集している無線区間データが操作者の選択した無線データ種別と一致するかどうか判断を行い、一致する場合には無線基地局装置より収集したデータのグラフ表示を行うためにグラフ表示用データに変換を行い画面表示部に表示を行う。一致しない場合にはもう一度、無線基地局装置へ指示した無線区間データを送信するように指示を出す。画面表示部にグラフ表示を行った時にグラフが画面表示部内に収まらない場合には、スクロールさせることで表示をさせることができる。
【００１０】
無線データ収集端末は複数の無線データ種別が選択された場合には、複数の無線区間データを無線基地局装置から収集し、一度に同じ時系列でグラフを作成し画面表示部に表示を行う機能を備えている。
【００１１】
また、無線データ収集端末は無線基地局装置より収集した無線区間データをメモリに格納する手段を有している。無線区間データをメモリに格納する場合の処理を説明する。無線データ収集端末が無線基地局装置より無線区間データを収集した後、操作者から収集を行ったデータの保存の指示があると無線データ収集端末は、保存する無線区間データの種別及び保存する名前を入力する画面表示を行い、操作者により保存する無線区間データの種別及び保存する無線区間データの名前の入力指示があると、無線データ収集端末はデータ記憶部に操作者により指定された名前で保存を行なう。
【００１２】
以上により、操作者が手作業により無線基地局装置から収集してきた無線区間データの評価を行なうための無線区間データを変換する手間が省け、評価にかかる時間を削減できる。また、無線データ収集端末は無線基地局装置の無線データを順次受信し表示用データに変換し画面に表示するためリアルタイムで評価を行なうことができる。
【００１３】
上記実施例では、無線収集端末は操作者に指定された無線データ種別のみ無線基地局装置より収集を行いグラフ表示を行っているが、無線基地局装置より全ての無線データを収集した後、選択された無線区間データのみを画面表示部にグラフとして表示してもよい。また実施例ではグラフ表示に関して述べたが、グラフ表示のみだけではなく表で表示したりするようにしてもよい。
【００１４】
実施例に記載した無線基地局装置試験システムは、無線基地局装置と無線データ収集端末をＬＡＮで接続しているが、ＬＡＮ以外の通信回線等を用いるようにしてもよい。また、無線区間データの保存は、操作者が指定したものをデータ記憶に保存するようにしているが、収集した無線区間データすべてを保存するようにしてもよい。
【図面の簡単な説明】
【図１】本発明に係る無線基地局装置システムの構成の一例を示す図
【図２】本発明に係る無線基地局装置及び無線データ収集端末の構成の一例を示す図
【図３】無線データ収集結果
【図４】グラフ形式でのデータ収集結果
【符号の説明】
１０１：無線基地局装置、１０２：ＬＡＮ、１０３：無線データ収集端末、２０１制御部、２０２：データ収集端末、２０３：入出力部、２０４：制御部、２０５：画面制御部、２０６：データ記憶部、２０７：キー入力部、２０８：データ解析部、２０９：入出力部
【図１】
2005006106.tif 000003
【図２】
2005006106.tif 000004
【図３】
2005006106.tif 000005
【図４】
2005006106.tif 000006